(57)【特許請求の範囲】
【請求項１】
複数枚一組みとして使用する組合せ式の浴槽ふたにおいて、当該組合せ式の浴槽ふたを構成する平板状の各浴槽ふた単体の重心付近に通孔を穿設し、当該通孔の上部及び下部より上側把手部材及び下側把手部材を嵌め込むことにより平板状浴槽ふた単体の厚みに対する影響を少なくして把手を取付けるようにしたことを特徴とする組合せ浴槽ふた。
【請求項２】
複数枚一組みとして使用する組合せ式の浴槽ふたにおいて、当該組合せ式の浴槽ふたを構成する平板状の浴槽ふた単体の一側縁部に把手兼壁掛け収納用環状部を付設すると共に、当該把手兼壁掛け収納用環状部が下端部に取付けた錘の作用によって自立するようになっていることを特徴とする組合せ浴槽ふた。
【請求項３】
複数枚一組みとして使用する組合せ式の浴槽ふたにおいて、当該組合せ式の浴槽ふたを構成する平板状の各浴槽ふた単体の重心付近に通孔を穿設し、当該通孔の上部及び下部より上側把手部材及び下側把手部材を嵌め込むことにより平板状浴槽ふた単体の厚みに対する影響を少なくして把手を取付けるようにすると共に、当該浴槽ふた単体の一側縁部に把手兼壁掛け収納用環状部を付設し、且つ当該把手兼壁掛け収納用環状部が下端部に取付けた錘の作用によって自立するようになっていることを特徴とする組合せ浴槽ふた。
【発明の詳細な説明】
【０００１】
【発明の属する技術分野】
本発明は浴槽の上面を覆って浴槽内の湯の温度が低下したり、浴室内に湯気が立ちのぼるのを防ぐ浴槽ふたに係り、特に二枚一組み、あるいは三枚一組みというように複数枚を組合せて使用する組合せ浴槽ふたに関するものである。
【０００２】
【従来の技術】
浴槽の上面を覆うふろふたについては、シャッターふたや、折り畳みふた等、これまでに様々なタイプのものが開発されてきているが、その中の一つにアルミ・樹脂複合板や合板等によって平面板状に作成され、二枚ないし数枚に分割された浴槽ふた単体を組合せて浴槽の上面を覆うようにした組合せふたが知られている。この組合せふたを構成する各浴槽ふた単体のほぼ中央部には浴槽上面に被せたり、外したりする際の手掛かりとなる摘み状の突起を突設して取扱操作性を向上させている。
【０００３】
【発明が解決しようとする課題】
上記したように従来の組合せふたを構成する各浴槽ふた単体には摘み状の突起ないし把手を設けて高齢者や子供でも対応ができるようにしている。
しかしながら、浴槽ふた単体の中央部に突起ないし把手を突設した場合には、浴槽のフランジ部等に重ね置きするようなとき突起が障害となって嵩張るという欠点があると共に、突起ないし把手同士が当接するようにして重ね置いたようなときはバランスを失してフランジ部等から落下するといった問題点がある。
【０００４】
また、浴槽のフランジ部等に立て掛ける際に、摘み状の突起ないし把手を考慮して浴槽ふた単体を半回転ないし一回転させることもあり、その際手首等を傷めるといった問題点がある。さらに、浴室の壁面に設けたフックに引っ掛けて浴槽ふた単体を収納するようにして、入浴介助用手摺りの設置や大型給水栓の付設等で狭隘なスペースとなる浴室内に対応できるようにすることが行われているが、従来の浴槽ふた単体を壁面に設けたフックに引っ掛け収納するに際して、浴槽ふた単体に取付けた引っ掛け用の環状部をフックに掛けるのに多くの手間を要するといった問題点もあった。
【０００５】
そこで、本発明は前記した従来の組合せ浴槽ふたの不具合点を解消し、平板状浴槽ふた単体の厚みに対する影響を極力少なくして把手を取付けるようにすると共に、浴槽ふた単体の一側縁部に自立機能を有する把手兼壁掛け収納用環状部を付設して取扱操作性を飛躍的に向上させた組合せ浴槽ふたを提供することを目的とするものである。
【０００６】
【課題を解決するための手段】
上記目的を達成するための本発明の構成を詳述すれば、請求項１に係る発明は、複数枚一組みとして使用する組合せ式の浴槽ふたにおいて、当該組合せ式の浴槽ふたを構成する平板状の各浴槽ふた単体の重心付近に通孔を穿設し、当該通孔の上部及び下部より上側把手部材及び下側把手部材を嵌め込むことにより平板状浴槽ふた単体の厚みに対する影響を少なくして把手を取付けるようにしたことを特徴とする組合せ浴槽ふたである。
【０００７】
請求項２に係る発明は、複数枚一組みとして使用する組合せ式の浴槽ふたにおいて、当該組合せ式の浴槽ふたを構成する平板状の浴槽ふた単体の一側縁部に把手兼壁掛け収納用環状部を付設すると共に、当該把手兼壁掛け収納用環状部が下端部に取付けた錘の作用によって自立するようになっていることを特徴とする組合せ浴槽ふたである。
【０００８】
また、請求項３に係る発明は、複数枚一組みとして使用する組合せ式の浴槽ふたにおいて、当該組合せ式の浴槽ふたを構成する平板状の各浴槽ふた単体の重心付近に通孔を穿設し、当該通孔の上部及び下部より上側把手部材及び下側把手部材を嵌め込むことにより平板状浴槽ふた単体の厚みに対する影響を少なくして把手を取付けるようにすると共に、当該浴槽ふた単体の一側縁部に把手兼壁掛け収納用環状部を付設し、且つ当該把手兼壁掛け収納用環状部が下端部に取付けた錘の作用によって自立するようになっていることを特徴とする組合せ浴槽ふたである。
【０００９】
本発明に係る組合せ浴槽ふたは以上のように、平板状の各浴槽ふた単体の重心付近に通孔を穿設し、当該通孔の上部及び下部より何ら突起部を有しない上側把手部材及び下側把手部材を嵌め込むことにより、すなわち各浴槽ふた単体に埋め込むような状態で把手を取付けるようにしたものであるから、全体として平板状浴槽ふた単体の厚みに対する影響が少なく、浴槽のフランジ部等に重ね置く場合に生ずる問題を従来より格段に少なくすることができる。
【００１０】
また、浴槽ふた単体の一側縁部に自立機能を有する把手兼壁掛け収納用環状部を取付けてあるので、各浴槽ふた単体を壁掛け収納する際にフックに引っ掛けるための環状部が常に垂直方向に自立しているので、高齢者や子供でも容易に浴室の壁面に取付けてあるフックに引っ掛けることが可能となる。
【００１１】
【発明の実施の形態】
以下、本発明に係る組合せ浴槽ふたの具体的構成を図示の実施例に基づき詳細に説明する。
図１は二枚一組みとした本発明組合せ浴槽ふたの一実施形態を示す平面図、図２は各浴槽ふた単体の重心付近に取付けた把手の断面図、図３は上側把手部材の一実施形態を示す平面図、図４は下側把手部材の一実施形態を示す底面図、図５は各浴槽ふた単体の一側縁部に設けた自立機能を有する把手兼壁掛け収納用環状部の詳細を示す説明図、図６は浴室の壁面に取付けてあるフックに把手兼壁掛け収納用環状部を引っ掛けるときの説明図である。
【００１２】
図中１はアルミ・樹脂複合板や合板、あるいは合成樹脂の中空成形等によって平面板状に作成され、二枚ないし数枚一組みとして使用される組合せ浴槽ふたを構成する各浴槽ふた単体を示す。２は浴槽ふた単体の重心付近に穿設した通孔であり、３はこの通孔２に取付けた把手を示す。
【００１３】
把手３は通孔２の上側から嵌め込む上側把手部材４と、通孔２の下側から嵌め込む下側把手部材５とから構成され、上側把手部材４は通孔２の周囲の浴槽ふた単体１の上面に当接させる鍔部６と、通孔２の周縁部に嵌入させる突片７及び手を掛けるための手掛板８を有しており、下側把手部材５は通孔２の周囲の浴槽ふた単体１の下面に当接させる鍔部９と、通孔２の周縁部に嵌入させ、前記上側把手部材４の突片に係合させる突片１０及び底板１１を有している。
【００１４】
突片７と突片１０の係合は、例えば上側把手部材４の突片７に係合用の突起を形成すると共に、下側把手部材５の突片１０に当該突起が嵌合し得る凹部を形成しておいて、両者を嵌着するようにしてもよいし、あるいは両者を接着剤によって接着して一体化を図るようにしてもよい。なお、図２に示す実施形態においては下側把手部材５の底板１１を比較的深い状態としてあるが、これを図示するものより浅い状態としてもよいのは勿論である。
【００１５】
把手３は取扱操作性の点から前記したように、浴槽ふた単体１の重心付近に取付けるものであり、その際上側把手部材４の手掛板８の開口側が浴室の壁面に取付けてあるフックの反対側となるように揃えておくと、各浴槽ふた単体１を従来のように半回転ないし一回転させる必要がなくなり、取扱操作性が格段に向上する。
【００１６】
次に、１２は各浴槽ふた単体１の一側縁部に付設した把手兼壁掛け収納用環状部であり、この把手兼壁掛け収納用環状部１２はその下端部に取付けた錘１３の作用によって自立するようになっている。すなわち、図５に示す実施形態における把手兼壁掛け収納用環状部１２は、軸受け１４を兼ねたジョイント部材１５を介して浴槽ふた単体１の一側縁部に取付けられており、環状部１２の下辺部１６には所要の重さを有する錘１３が取付けられている。ジョイント部材１５の軸受け１４によって支承され回転自在となっている把手兼壁掛け収納用環状部１２はその下辺部１６に取付けられている錘１６の作用によって常に垂直状に自立することができる。
【００１７】
なお、図５に示す実施形態ではジョイント部材１５は左右が繋がった一体のものとなっているが、これを図１に示す実施形態のように左右に分離されたジョイント部材１５，１５としてもよいのは勿論である。また、錘１３の回動スペースを確保するため、浴槽ふた単体１の一側縁部に切欠部１７を形成するようにしてもよい。壁掛け収納のためには、各浴槽ふた単体１に前記した把手兼壁掛け収納用環状部１２を付設する必要があるが、その際把手兼壁掛け収納用環状部１２は浴室の壁面に取付けてあるフック１８側となるように揃えておくと、各浴槽ふた単体１を従来のように回転させることなく容易にフックに引っ掛けることが可能となる。
【００１８】
本発明組合せ浴槽ふたによれば、把手３は各浴槽ふた単体１の重心付近に埋め込むような形で取付けてあるので、浴槽のフランジ部と浴槽ふた単体１が密着していても、容易に上げ立てることができ、高齢者や子供でも介助なしにこれらの操作を行うことができる。また、浴槽ふた単体１の一側縁部に自立機能を有する把手兼壁掛け収納用環状部１２を付設してあるので、浴槽に被せてある状態においても錘１３の回動に支障がない限り環状部１２は常に垂直状に自立でき、そのため環状部１２を掴み易く、前記した浴槽ふた単体１の重心付近に取付けた把手３を併せて利用することにより上げ立てや収納を楽に行うことができるようになる。
【００１９】
【発明の効果】
このように、本発明は平板状の各浴槽ふた単体の重心付近に通孔を穿設し、当該通孔の上部及び下部より上側把手部材及び下側把手部材を嵌め込むことにより、すなわち各浴槽ふた単体に埋め込むような状態で把手を取付けるようにしたものであるから、全体として平板状浴槽ふた単体の厚みに対する影響が少なく、浴槽のフランジ部等に重ね置く場合に生ずる問題を従来より格段に少なくすることができる。また、浴槽ふた単体の一側縁部に自立機能を有する把手兼壁掛け収納用環状部を取付けてあるので、各浴槽ふた単体を壁掛け収納する際にフックに引っ掛けるための環状部が常に垂直方向に自立しているので、高齢者や子供でも容易にフックに引っ掛けることが可能となる。
【図面の簡単な説明】
【図１】二枚一組みとした本発明組合せ浴槽ふたの一実施形態を示す平面図である。
【図２】浴槽ふた単体の重心付近に取付けた把手の断面図である。
【図３】上側把手部材の一実施形態を示す平面図である。
【図４】下側把手部材の一実施形態を示す底面図である。
【図５】浴槽ふた単体の一側縁部に付設した自立機能を有する把手兼壁掛け収納用環状部の詳細を示す説明図である。
【図６】浴室の壁面に取付けてあるフックに把手兼壁掛け収納用環状部を引っ掛けるときの説明図である。
【符号の説明】
１：浴槽ふた単体                  ２：通孔
３：把手                          ４：上側把手部材
５：下側把手部材                  ６：鍔部
７：突片                          ８：手掛板
９：鍔部                        １０：突片
１１：底板                        １２：把手兼壁掛け収納用環状部
１３：錘                          １４：軸受け
１５：ジョイント部材              １６：下辺部
１７：切欠部                      １８：フック
【図１】
0004308414.tif 000002
【図２】
0004308414.tif 000003
【図３】
0004308414.tif 000004
【図４】
0004308414.tif 000005
【図５】
0004308414.tif 000006
【図６】
0004308414.tif 000007